(57)【要約】【課題】猫などのペットが非常に興味を示し、且つペットのストレス解消を図ることができるペット用玩具を提供する。【解決手段】本発明のペット用玩具１は、使用者Ｍが把持する棒状とされた把持部２と、把持部２の先端部に連結された線体３と、線体３の先端部に取り付けられたペット誘惑体４とを有するペット用玩具１において、ペット誘惑体４と把持部２の先端部との間の線体３に、当該線体３の長手方向に沿って摺動可能に設けられたペット誘惑臭発生体６を備えている。【選択図】図１
2019118329.tif 000002
【特許請求の範囲】
【請求項１】
使用者が把持する把持部と、前記把持部の先端部に連結された線体と、前記線体の先端部に取り付けられたペット誘惑体とを有するペット用玩具において、
前記ペット誘惑体と把持部の先端部との間の線体に、当該線体の長手方向に沿って摺動可能に設けられたペット誘惑臭発生体を備える
ことを特徴とするペット用玩具。
【請求項２】
前記ペット誘惑臭発生体は、マタタビの蔓を所定の長さに切断してなる棒状のマタタビ片であることを特徴とする請求項１に記載のペット用玩具。
【請求項３】
前記マタタビ片の断面略中央部に長手方向を向く貫通孔が形成されており、
前記貫通孔を前記線体が貫通することで、前記マタタビ片が線体に摺動自在に取り付けられていることを特徴とする請求項２に記載のペット用玩具。
【請求項４】
前記線体には、複数のマタタビ片が線体に沿って連なるように配設され、一のマタタビ片の端面と前記一のマタタビ片に隣接する他のマタタビ片の端面とが当接可能に設けられていることを特徴とする請求項３に記載のペット用玩具。
【請求項５】
前記線体は、把持部に対して伸縮自在とされており、
前記線体が縮退状態の際には、複数のマタタビ片の端面同士が当接状態にあり、前記線体が伸長状態の際には、複数のマタタビ片の端面間に空隙が形成されることを特徴とする請求項４に記載のペット用玩具。
【発明の詳細な説明】
【技術分野】
【０００１】
本発明は、猫などのペットを遊ばせるためのペット用玩具に関する。
【背景技術】
【０００２】
猫などのペットを遊ばせるためのペット用玩具として、ペットが興味を持ちそうな形状のペット誘惑体をペットの目の前でひらひら動かし、じゃれつかせる形態のものがある。特許文献１には、そのようなペット用玩具が開示されている。
特許文献１に開示されたペット用玩具は、把持部の先端部にピアノ線などからなる線体が取り付けられ、その線体の先端部に第１のペット誘惑体が固着され、第１のペット誘惑体と把持部との間には、第２のペット誘惑体が線体の長手方向に移動自在に保持されているものであり、これらのペット誘惑体には可撓性を有する羽根が備えられている。
【０００３】
使用者は、把持部を手に持って上下に揺すると、線体は適宜しなるので、そのしなりの力も加わり、ペット誘惑体はペットの目の前で揺れることになる。特に、第２のペット誘惑体は、線体に沿って前後に移動するため、よりペットの興味をそそることになる。ペットは、興味をそそる物体が目の前で動くから、それにじゃれつくことになる。
【先行技術文献】
【特許文献】
【０００４】
【特許文献１】特開２０１３−５７５８号公報
【発明の概要】
【発明が解決しようとする課題】
【０００５】
上記した如く、特許文献１にあるようなペット誘惑体の揺動するような動きには、ペット、特に猫などは非常に興味を示すものとなっている。
さて、ペットとして多く飼育されている猫を考えた場合、猫の習性、特性として「マタタビ」と言われるマタタビ科の落葉蔓性木本（蔓状の木）に非常に興味を示すことが知られている。理由として、マタタビからは、マタタビラクトンと総称される物質が発散し、猫は、その臭いを非常に気に入るからである。
【０００６】
故に、ペットである猫にマタタビを与えるとともに、特許文献１のようなペット用玩具をもって遊んであげることは、ペットのストレス解消や飼い主とのスキンシップの向上など、メリットが大きい。
とはいえ、飼い主が、一方の手に特許文献１に開示されたようなペット用玩具を持ち、他方の手にマタタビを持った状態となるのは、あまり見栄えのよいものではない。そこで、ペット用玩具にマタタビの蔓を数センチ程度の適切な長さに切った円柱状のもの（以降、マタタビ片と呼ぶこともある）を括り付けることも考えられる。
【０００７】
しかしながら、マタタビ片から発散されるマタタビラクトン（マタタビ臭）は、マタタビ片の切り口、すなわち、皮のない部分から多く飛散することが知られており、そのため、マタタビからのマタタビ臭があまり発散されなくなった場合、飼い主は、マタタビ片の皮を削るなどして、マタタビ片の内部が露出するようにする必要がある。
上記したマタタビ片を括り付けたペット用玩具においても同様であり、マタタビ臭が飛散しなくなる毎に、飼い主は、ペット用玩具からマタタビ片を取り外し、マタタビ片の皮を剥くなどして、再度、ペット用玩具にマタタビ片を括り付ける必要が考えられる。この作業は煩雑なものであり、飼い主にとっては、面倒なものである。
【０００８】
そこで、本発明は、飼い主にとって扱いやすく、一方で、猫などのペットが非常に興味を示し、且つペットのストレス解消を図ることができるマタタビ片を備えたペット用玩具を提供することを目的とする。
【課題を解決するための手段】
【０００９】
前記目的を達成するため、本発明においては以下の技術的手段を講じた。
本発明のペット用玩具は、使用者が把持する把持部と、前記把持部の先端部に連結された線体と、前記線体の先端部に取り付けられたペット誘惑体とを有するペット用玩具において、前記ペット誘惑体と把持部の先端部との間の線体に、当該線体の長手方向に沿って摺動可能に設けられたペット誘惑臭発生体を備えることを特徴とする。
【００１０】
好ましくは、前記ペット誘惑臭発生体は、マタタビの蔓を所定の長さに切断してなる棒状のマタタビ片であるとよい。
好ましくは、前記マタタビ片の断面略中央部に長手方向を向く貫通孔が形成されており、前記貫通孔を前記線体が貫通することで、前記マタタビ片が線体に摺動自在に取り付けられているとよい。
【００１１】
好ましくは、前記線体には、複数のマタタビ片が線体に沿って連なるように配設され、一のマタタビ片の端面と前記一のマタタビ片に隣接する他のマタタビ片の端面とが当接可能に設けられているとよい。
好ましくは、前記線体は、把持部に対して伸縮自在とされており、前記線体が縮退状態の際には、複数のマタタビ片の端面同士が当接状態にあり、前記線体が伸長状態の際には、複数のマタタビ片の端面間に空隙が形成されるとよい。
【発明の効果】
【００１２】
本発明のペット用玩具によれば、飼い主にとって扱いやすいものであるばかりか、猫などのペットが非常に興味を示し、且つペットのストレス解消を図ることが可能となる。
【図面の簡単な説明】
【００１３】
【図１】本発明にかかるペット用玩具の全体を示した図である。
【図２】本発明にかかるペット用玩具の線体が伸縮する様子を示した図である。
【図３】本発明にかかるペット用玩具の使用態様を示した図である。
【発明を実施するための形態】
【００１４】
以下、本発明のペット用玩具１を図面に基づき説明する。また、本発明のペット用玩具１を用いるペットとして「猫Ｃ」を例示して説明するが、ペットは猫Ｃに限定されず、様々な動物（例えば、大型の猫科の動物）が想定される。
図１に示すように、本発明のペット用玩具１は、所謂「猫じゃらし」といわれるものであり、飼い主Ｍ（使用者）が手で把持可能な棒状とされた把持部２と、この把持部２の先端部に連結された線体３と、線体３の先端部に取り付けられたペット誘惑体４とを有している。
【００１５】
把持部２（グリップ部）は、合成樹脂やカーボン繊維などから構成された可撓性のある棒状体であり、その長さは約２０ｃｍ〜３０ｃｍである。把持部２の断面形状は、直径５ｍｍ程度の断面円形であり、内部が空洞となっている。なお、把持部２の外形は、飼い主Ｍが把持しやすい形であればこれには限定されない。
把持部２の基端にはキャップ部材５が被せてあり、このキャップ部材５により、把持部２の基端が飼い主Ｍに当たるなどしたとしても、飼い主Ｍが怪我をするなどの不都合を回避することができる。
【００１６】
把持部２の先端部には、把持部２の長さの約半分程度とされた長尺の線体３が取り付けられている。この線体３はピアノ線などの弾性力のある折れ曲がりにくい鋼材で構成されており、線体３の基端が、把持部２の先端部に取り付けられている。線体３はその弾力性により、飼い主Ｍが把持部２を左右に振った際に、線体３も連動し左右に揺らぐようになる。
【００１７】
本発明のペット用玩具１の場合、線体３は、把持部２の先端部に固着されておらず、中空とされた把持部２内に出入り可能となっている。すなわち、把持部２の先端部に形成された孔内に線体３の基端部が挿入されており、その孔を通って線体３自体が把持部２の内部に挿入可能となっている。
図２（ａ）に示す如く、線体３が把持部２内に挿入された場合、線体３が縮退状態となり、図２（ｂ）に示す如く、線体３が把持部２内から引き出された場合は、線体３が伸長状態となる。すなわち、線体３と把持部２とはテレスコピック構造を備えるものとなっている。
【００１８】
なお、線体３の基端側には、線体３が把持部２から抜け落ちることを防ぐ抜け止め部（図示せず）が形成されている。
図１などに示すように、上記した線体３の先端部には、ペット誘惑体４が取り付けられている。
ペット誘惑体４は、鳥の羽４ａや、長さ１０ｃｍ〜１５ｃｍほどの短冊尺とされたプラスチック片４ｂが花束状に束ねられて形成されている。ペット誘惑体４を構成する鳥の羽４ａはカラフルな色に染められていることが好ましく、また、プラスチック片４ｂも様々な色で且つ透明状とされているとよい。特に、プラスチック体が薄膜でフィルム状のものであれば、長手方向に交わる方向には折れ曲がるようになっていると共に、触ると「カサカサ」といった音を発するものとなる。
【００１９】
このように、花束状に束ねられて形成されたペット誘惑体４の基端部分（束ねられた部分）が、線体３の先端部に固着されるようになっている。
かかる構成のペット誘惑体４が把持部２の揺動に伴って揺れ動くことで、「カサカサ」といった音を発するようになったり、光を反射するようになる。「カサカサ」といった音は、草むらを蛇やネズミなどの小動物が移動する際に発生する音に似ているものであり、キラキラと反射する光は、小動物の動きに伴う光や小動物の目からの反射光に類似する。そのため、猫Ｃはこの音や光に敏感に反応し、本発明のペット用玩具１に反応することとなる。
【００２０】
一方、ペットとして多く飼育されている猫Ｃの習性、特性を考えた場合、猫Ｃは「マタタビ」と言われるマタタビ科の落葉蔓性木本（蔓状の木）に非常に興味を示すことが知られている。理由として、マタタビからは、マタタビラクトン（所謂、マタタビ臭）と総称される物質が発散し、猫Ｃは、その臭いを非常に気に入るからである。
マタタビ臭は、マタタビの皮を通しては多くは発散されない。そのため、マタタビ臭をより多く発散させるには、マタタビの蔓を数センチ程度の適切な長さに切った円柱状乃至は棒状のもの（以降、これをマタタビ片６と呼ぶ）とし、マタタビの蔓の内面を露出させることが好ましい。さらに、マタタビ片６の皮を削るなどして、マタタビ片６の内部が露出させることもあった。
【００２１】
さて、本発明のペット用玩具１の場合、ペット誘惑体４と把持部２の先端部との間に存在する線体３に、その長手方向に沿って摺動可能に、長さ約３ｃｍ、直径約５ｍｍとされた棒状のマタタビ片６を（ペット誘惑臭発生体）を取り付けるようにしている。
具体的には、棒状のマタタビ片６の断面略中央部に長手方向を向く貫通孔が形成されている。この貫通孔は線体３の直径よりわずかに大きなものとされており、貫通孔を線体３が貫通するように、線体３にマタタビ片６が取り付けられることで、マタタビ片６は、線体３の先端側と基端側との間をスライド自在に移動できるものとなっている。また、マタタビ片６と線体３とは略同軸となるように配備されているため、マタタビ片６は線体３の軸芯回りに回転乃至は回動自在となっている。
【００２２】
図１に示す如く、線体には、複数のマタタビ片６（本実施形態の場合、２個のマタタビ片６）が線体に沿って連なるように配設され、前方側のマタタビ片６の後端面と後方側のマタタビ片６の前端面とが当接可能に設けられている。
前述した如く、把持部２の先端に取り付けられた線体は、把持部２に対して伸縮自在とされており、図２（ａ）に示す如く、線体が縮退状態の際には、複数のマタタビ片６の端面同士が当接状態にある。図２（ｂ）に示す如く、線体が伸長状態の際には、複数のマタタビ片６の端面間に空隙が形成されるものとなっている。
［作動態様］
次に、本発明にかかるペット用玩具１の使用態様について述べる。
【００２３】
図２（ａ）は、ペット用玩具１を使用していない状態を示している。すなわち、線体３を把持部２の内部へ挿入し収めることで、線体３を縮退させ非使用時とする。このとき、複数のマタタビ片６の端面同士が当接状態にあるため、マタタビ片６の内部が露出している面が少なくなり、マタタビ臭の飛散を可及的に防止することが可能となる。
図２（ｂ）は、ペット用玩具１を使用している状態を示している。すなわち、線体３を把持部２の内部から引き出し、線体３を伸長させることで、使用可能な状態とする。
【００２４】
この状態で、図３に示す如く、飼い主Ｍは、把持部２を持ち、当該把持部２を前後左右上下に振ることで、まずは、線体３の線体３に取り付けられたペット誘惑体４を揺らすようにする。するとペット誘惑体４を構成する鳥の羽４ａや長尺とされたプラスチック片４ｂが大きく広がりつつ揺動し、プラスチック片４ｂにより、光を反射したり、「カサカサ」といった音を発するものとなる。これらの光や音は、草むらを蛇やネズミなどの小動物が移動する際に発生する音や光に似ているものであり、猫Ｃは敏感に反応し、本発明のペット用玩具１に反応することとなる。
【００２５】
加えて、飼い主Ｍが、把持部２を前後左右上下に振ることで、マタタビ片６が、線体３に沿って前後（先端から後端）へ移動することになる。この時、線体３により貫通孔の内面（すなわち、マタタビ片６の内部）が擦られることとなり、マタタビ臭が多量に発散され、猫Ｃが好む状態となる。また同時に、マタタビ片６の端面同士が当接したり、マタタビ片６が線体３周りに回転乃至は回動することにより、マタタビ片６の内部が擦られることになり、さらにマタタビ臭が発散されるようになる。そのため、飼い主Ｍがたびたびマタタビ片の皮を剥くなどして、マタタビ臭の発散を促進するといった煩雑な作業を不要なものとできる。
【００２６】
上記した２つの作用（ペット誘惑体４の揺動、マタタビ片６からの臭い発散）により、猫Ｃなどのペットが非常に興味を示し、且つペットのストレス解消を図ることができるものとなる。
なお、マタタビ片６からの臭い飛散が弱くなった場合、飼い主Ｍ自身が、マタタビ片６を手に取り、線体３に沿って前後に強く摺動させたり、マタタビ片６の端面同士を強圧しつつ互いを擦りあうようにすることで、マタタビ臭の飛散を再生することが可能となる。
【００２７】
また、複数のマタタビ片６の間（端面同士の間）に棘状の突起をもったワッシャ、言い換えるならば、菊座ワッシャなどを挟み込んでおけば、把持部２を揺動することで、自然とマタタビ片６の端面が削られることとなって、マタタビ片６からの臭いの飛散を長期にわたって維持することができるようになる。同様な効果は、把持部２の先端に棘状の突起を形成することでも実現可能である。
【００２８】
このように、飼い主Ｍが把持する棒状とされた把持部２と、把持部２の先端部に連結された線体３と、線体３の先端部に取り付けられたペット誘惑体４とを有するペット用玩具１において、ペット誘惑体４と把持部２の先端部との間の線体３に、線体３の長手方向に沿って摺動可能に設けられたペット誘惑臭発生体を設けることで、猫Ｃなどのペットが非常に興味を示し、且つペットのストレス解消を図ることができるペット用玩具１を実現することができるようになる。
【００２９】
なお、今回開示された各実施形態は、すべての点で例示であって制限的なものではないと考えられるべきである。特に、今回開示された各実施形態において、明示的に開示されていない事項は、通常の当業者であれば、容易に想定することが可能な値を採用している。
例えば、本実施形態の説明においては、ペットとして猫Ｃを例示しているが、他の動物に、本発明のペット用玩具１を使用しても何ら問題はない。また、把持部２は棒状であるとして説明をしたが、把持部２の形状は棒状に限定されない。
【符号の説明】
【００３０】
１    ペット用玩具（猫じゃらし）
２    把持部
３    線体
４    ペット誘惑体
４ａ  鳥の羽
４ｂ  プラスチック片
５    キャップ部材
６    マタタビ片（ペット誘惑臭発生体）
Ｃ    猫
Ｍ    飼い主
【図１】
2019118329.tif 000003
【図２】
2019118329.tif 000004
【図３】
2019118329.tif 000005